(57)【要約】【課題】親機として動作させる無線ＬＡＮ通信装置に対して子機として動作させる無線ＬＡＮ通信装置を短時間で容易に接続させる。【解決手段】無線ＬＡＮアクセスポイント１の通信部は、親機として動作する第１の動作モードおよび子機として動作する第２の動作モードに切り替え可能に構成され、制御部は、第１の条件が満たされたときに、測定装置２ａ〜２ｎや携帯端末３の接続を許容する接続許容処理において、通信部を第２の動作モードで動作させると共に親機として動作している装置２や端末３からのビーコンを受信させる第１の処理と、ビーコンが受信された装置２や端末３のリストを生成して接続を許容する装置２や端末３を選択させる第２の処理と、選択された装置２や端末３に対して接続許容条件を送信させる第３の処理とを実行し、かつ第２の条件が満たされたときに通信部を第１の動作モードで動作させる第４の処理を実行する。【選択図】図１
2019022197.tif 000002
【特許請求の範囲】
【請求項１】
無線ＬＡＮ子機として動作している外部通信装置との間で無線通信を行う親機側通信部と、当該親機側通信部に対する接続を許容する接続許容条件を記憶する親機側記憶部と、前記親機側通信部を制御する親機側制御部とを備えて無線ＬＡＮ親機として動作可能に構成された無線ＬＡＮ通信装置であって、
前記親機側通信部は、無線ＬＡＮ親機として動作する第１の動作モードおよび無線ＬＡＮ子機として動作する第２の動作モードのいずれかに切り替えられて動作可能に構成され、
前記親機側制御部は、予め規定された第１の条件が満たされたときに、無線ＬＡＮ子機として動作する動作モードＡおよび無線ＬＡＮ親機として動作する動作モードＢのいずれかに切り替えられて動作可能に構成された子機側通信部を備えた前記外部通信装置が前記親機側通信部に対して接続するのを許容する親機側接続許容処理を実行すると共に、当該親機側接続許容処理において、前記親機側通信部を前記第２の動作モードで動作させると共に前記子機側通信部が前記動作モードＢで動作している前記外部通信装置から発信されたビーコンを当該親機側通信部に受信させる第１の処理と、前記親機側通信部によって前記ビーコンが受信された前記外部通信装置のリストを生成すると共に当該リスト内の当該外部通信装置のなかから当該親機側通信部に対する接続を許容する当該外部通信装置を選択させる第２の処理と、選択された前記外部通信装置に対して前記親機側記憶部に記憶されている前記接続許容条件を前記親機側通信部から送信させる第３の処理とを実行し、かつ予め規定された第２の条件が満たされたときに前記親機側通信部を前記第１の動作モードで動作させる第４の処理を実行する無線ＬＡＮ通信装置。
【請求項２】
前記親機側制御部は、前記第３の処理の処理を完了したときに、前記子機側通信部を前記動作モードＡで動作させるように指示する制御データを前記親機側通信部から前記外部通信装置に送信させる第５の処理を前記第４の処理に先立って実行する請求項１記載の無線ＬＡＮ通信装置。
【請求項３】
前記親機側制御部は、前記第２の処理において選択された前記外部通信装置のすべてを対象とする前記第３の処理を完了したときに前記第２の条件が満たされたとして前記第４の処理を実行する請求項１または２記載の無線ＬＡＮ通信装置。
【請求項４】
前記親機側制御部は、前記第２の処理において、前記ビーコンが受信された前記外部通信装置のうちの予め規定されたリストアップ条件を満たす当該外部通信装置のリストを生成する請求項１から３のいずれかに記載の無線ＬＡＮ通信装置。
【請求項５】
無線ＬＡＮ親機として動作している外部通信装置との間で無線通信を行う子機側通信部と、前記外部通信装置に対して接続するための接続許容条件を記憶する子機側記憶部と、前記子機側通信部を制御する子機側制御部とを備えて無線ＬＡＮ子機として動作可能に構成された無線ＬＡＮ通信装置であって、
前記子機側通信部は、無線ＬＡＮ子機として動作する動作モードＡおよび無線ＬＡＮ親機として動作する動作モードＢのいずれかに切り替えられて動作可能に構成され、
前記子機側制御部は、予め規定された条件Ａが満たされたときに、無線ＬＡＮ親機として動作する第１の動作モードおよび無線ＬＡＮ子機として動作する第２の動作モードのいずれかに切り替えられて動作可能に構成された親機側通信部を備えた前記外部通信装置に対して前記子機側通信部が接続するのを許容させる子機側接続許容処理を実行すると共に、当該子機側接続許容処理において、前記子機側通信部を前記動作モードＢで動作させてビーコンを発信させる処理Ａと、前記親機側通信部が前記第２の動作モードで動作している前記外部通信装置から送信された前記接続許容条件が前記子機側通信部によって受信されたときに当該接続許容条件を前記子機側記憶部に記憶させる処理Ｂとを実行し、かつ予め規定された条件Ｂが満たされたときに前記子機側通信部を前記動作モードＡで動作させる処理Ｃを実行する無線ＬＡＮ通信装置。
【請求項６】
前記子機側制御部は、前記子機側通信部を前記動作モードＡで動作させるように指示する制御データが前記子機側通信部によって受信されたときに前記条件Ｂが満たされたとして前記処理Ｃを実行する請求項５記載の無線ＬＡＮ通信装置。
【請求項７】
請求項１から４のいずれかに記載の無線ＬＡＮ通信装置と、請求項５または６記載の無線ＬＡＮ通信装置とを備えて構成された無線ＬＡＮ通信システム。
【請求項８】
無線ＬＡＮ親機として動作している外部通信装置との間で無線通信を行う子機側通信部と、前記外部通信装置に対して接続するための接続許容条件を記憶する子機側記憶部と、前記子機側通信部を制御する子機側制御部とを備えて無線ＬＡＮ子機として動作可能に構成されると共に、前記子機側通信部が、無線ＬＡＮ子機として動作する動作モードＡおよび無線ＬＡＮ親機として動作する動作モードＢのいずれかに切り替えられて動作可能に構成された無線ＬＡＮ通信装置における前記子機側制御部に、前記外部通信装置に対する前記子機側通信部の接続を許容させる子機側接続許容処理を実行させる接続許容処理用プログラムであって、
予め規定された条件Ａが満たされたときに前記子機側接続許容処理を実行すると共に、当該子機側接続許容処理において、前記子機側通信部を前記動作モードＢで動作させてビーコンを発信させる処理Ａと、前記親機側通信部が前記第２の動作モードで動作している前記外部通信装置から送信された前記接続許容条件が前記子機側通信部によって受信されたときに当該接続許容条件を前記子機側記憶部に記憶させる処理Ｂとを実行し、かつ予め規定された条件Ｂが満たされたときに前記子機側通信部を前記動作モードＡで動作させる処理Ｃとを前記子機側制御部に実行させる接続許容処理用プログラム。
【発明の詳細な説明】
【技術分野】
【０００１】
本発明は、無線ＬＡＮ子機として動作している外部通信装置との間で無線通信可能な無線ＬＡＮ通信装置、無線ＬＡＮ親機として動作している外部通信装置との間で無線通信可能な無線ＬＡＮ通信装置、それらの無線ＬＡＮ通信装置を備えて構成された無線ＬＡＮ通信システム、および無線ＬＡＮ子機として動作させる無線ＬＡＮ通信装置の子機側制御部に無線ＬＡＮ親機として動作させる無線ＬＡＮ通信装置に対する接続を許容させる処理を実行させる接続許容処理用プログラムに関するものである。
【背景技術】
【０００２】
例えば、下記の特許文献には、無線ＬＡＮ子機として動作可能な被設定端末を無線ＬＡＮアクセスポイント（無線ＬＡＮ親機）に対して無線ＬＡＮ接続させるための設定を行う無線ＬＡＮ設定装置および無線ＬＡＮ設定方法（以下、単に「設定装置」および「設定方法」ともいう）が開示されている。
【０００３】
具体的には、下記特許文献に開示の設定装置および設定方法では、接続に際してパスワードの提示が必要なＳＳＩＤ（以下、「ＳＳＩＤ１」ともいう）、および、接続に際してパスワードの提示が不要なＳＳＩＤ（以下、「ＳＳＩＤ２」ともいう）の２種類のＳＳＩＤを使用可能に無線ＬＡＮアクセスポイント（以下、単に「アクセスポイント」ともいう）を構成し、ＳＳＩＤ２の通信路に対して被設定端末（スマートフォンなど）を接続させて、常用するＳＳＩＤ１についての接続用情報（アクセスポイントのＳＳＩＤや接続用のパスワード等）を被設定端末に登録する構成および方法が採用されている。
【０００４】
より具体的には、下記特許文献における「第１実施形態」の態様では、まず、アクセスポイントからＳＳＩＤ１，ＳＳＩＤ２の２種類についてのビーコンを発信させた状態とする。この状態で被設定端末を操作して無線ＬＡＮ関連の設定画面を表示させると、受信されたビーコンに基づき、ＳＳＩＤ１，ＳＳＩＤ２の２種類と、周辺に他のアクセスポイントが存在するときには、そのアクセスポイントのＳＳＩＤとが一覧表示される。したがって、利用者は、一覧表示されているＳＳＩＤのなかからＳＳＩＤ２を選択する。この際に、ＳＳＩＤ２はパスワードの提示が不要なため、被設定端末およびアクセスポイントの間でＳＳＩＤ２の通信路が確立され、被設定端末の表示部にＳＳＩＤ２による無線ＬＡＮ接続に成功した旨のメッセージが表示される。
【０００５】
このメッセージを見た利用者は、無線ＬＡＮ通信を利用可能になったと認識し、例えば、インターネット等の外部ネットワーク上の任意のＷｅｂページに対するアクセスしようとする。これに応じて、被設定端末は、アクセスポイントに対して外部ネットワーク（Ｗｅｂページ）への接続要求を送信する。また、アクセスポイントは、被設定端末からの接続要求に応じて、アクセスポイントの内に予め用意されているＷｅｂページ（接続設定用のＷｅｂページ：以下「設定ページ」ともいう）に被設定端末を接続させる。また、アクセスポイントは、被設定端末が読み取り可能なフォーマットで記述された無線ＬＡＮ設定キット（ＳＳＩＤ１への接続を許容するためのパスワード等を被設定端末に設定するためのファイルやソフトウェア）を送信する。
【０００６】
この際に、無線ＬＡＮ設定キットを受信した被設定端末では、ＳＳＩＤ１およびパスワードを登録するか否かを確認するメッセージが表示される。また、利用者によって登録を許可する（希望する）との操作が行なわれたときには、無線ＬＡＮ設定キットに含まれているＳＳＩＤ１およびパスワードが被設定端末に自動的に登録され、ＳＳＩＤ２による接続に代えて、新たに登録されたＳＳＩＤ１による接続要求がアクセスポイントに対して送信される。これにより、アクセスポイントのＳＳＩＤ１に対する被設定端末の接続が許容される。
【０００７】
なお、下記特許文献には、上記の「第１実施形態」の態様以外にも、セキュリティの観点で「第１実施形態」の態様とは異なる処理を実行する設定装置および設定方法が開示されているが、ＳＳＩＤ１，ＳＳＩＤ２の２種類を使用して接続設定を行う点において「第１実施形態」の態様と共通しているため、それらについての詳細な説明を省略する。
【先行技術文献】
【特許文献】
【０００８】
【特許文献１】特開２０１４−１０３５３０号公報（第６−１１頁、第１−９図）
【発明の概要】
【発明が解決しようとする課題】
【０００９】
ところが、上記特許文献に開示されている設定装置および設定方法には、以下のような解決すべき問題点が存在する。具体的には、上記特許文献に開示されている設定装置および設定方法では、被設定端末を操作してアクセスポイントのＳＳＩＤ２に接続させ、アクセスポイントが、ＳＳＩＤ２に接続した被設定端末にＳＳＩＤ１への接続を許容する接続用情報を提供することにより、被設定端末をアクセスポイントのＳＳＩＤ１に接続させることが可能な状態とする構成および方法が採用されている。
【００１０】
この場合、例えば、無線通信によって制御データや測定値データを送受信可能に構成された測定装置を使用して各種の被測定量を測定する測定現場においては、複数台の測定装置を併用して測定処理を実施することがある。このような利用形態においては、１台のアクセスポイント（無線ＬＡＮ親機）に対して複数台の測定装置（無線ＬＡＮ子機）を接続させるための設定作業が必要となる。
【００１１】
しかしながら、上記特許文献に開示の設定装置および設定方法では、アクセスポイントに対して接続させる被設定端末毎に、ＳＳＩＤ２を選択する操作や、ＳＳＩＤ１への接続を許容する操作などを個別的に実行する必要がある。このため、複数台の測定装置（無線ＬＡＮ子機）をアクセスポイント（無線ＬＡＮ親機）に接続させる設定作業が非常に煩雑となっており、また、すべての測定装置の設定を完了するまでに要する時間が長くなっている。
【００１２】
本発明は、かかる問題点に鑑みてなされたものであり、無線ＬＡＮ親機として動作させる無線ＬＡＮ通信装置に対して、無線ＬＡＮ子機として動作させる無線ＬＡＮ通信装置を短時間で容易に接続させることが可能な無線ＬＡＮ通信装置、無線ＬＡＮ通信システムおよび接続許容処理用プログラムを提供することを主目的とする。
【課題を解決するための手段】
【００１３】
上記目的を達成すべく、請求項１記載の無線ＬＡＮ通信装置は、無線ＬＡＮ子機として動作している外部通信装置との間で無線通信を行う親機側通信部と、当該親機側通信部に対する接続を許容する接続許容条件を記憶する親機側記憶部と、前記親機側通信部を制御する親機側制御部とを備えて無線ＬＡＮ親機として動作可能に構成された無線ＬＡＮ通信装置であって、前記親機側通信部は、無線ＬＡＮ親機として動作する第１の動作モードおよび無線ＬＡＮ子機として動作する第２の動作モードのいずれかに切り替えられて動作可能に構成され、前記親機側制御部は、予め規定された第１の条件が満たされたときに、無線ＬＡＮ子機として動作する動作モードＡおよび無線ＬＡＮ親機として動作する動作モードＢのいずれかに切り替えられて動作可能に構成された子機側通信部を備えた前記外部通信装置が前記親機側通信部に対して接続するのを許容する親機側接続許容処理を実行すると共に、当該親機側接続許容処理において、前記親機側通信部を前記第２の動作モードで動作させると共に前記子機側通信部が前記動作モードＢで動作している前記外部通信装置から発信されたビーコンを当該親機側通信部に受信させる第１の処理と、前記親機側通信部によって前記ビーコンが受信された前記外部通信装置のリストを生成すると共に当該リスト内の当該外部通信装置のなかから当該親機側通信部に対する接続を許容する当該外部通信装置を選択させる第２の処理と、選択された前記外部通信装置に対して前記親機側記憶部に記憶されている前記接続許容条件を前記親機側通信部から送信させる第３の処理とを実行し、かつ予め規定された第２の条件が満たされたときに前記親機側通信部を前記第１の動作モードで動作させる第４の処理を実行する。
【００１４】
なお、本明細書における「無線ＬＡＮ親機」としての動作とは、他の無線ＬＡＮ通信装置が受信可能な「無線ＬＡＮ通信用のビーコン」を発信している動作状態であり、「無線ＬＡＮ子機」としての動作とは、「無線ＬＡＮ親機」として動作している無線ＬＡＮ通信装置から発信された「無線ＬＡＮ通信用のビーコン」を受信可能な動作状態である。
【００１５】
また、請求項２記載の無線ＬＡＮ通信装置は、請求項１記載の無線ＬＡＮ通信装置において、前記親機側制御部は、前記第３の処理の処理を完了したときに、前記子機側通信部を前記動作モードＡで動作させるように指示する制御データを前記親機側通信部から前記外部通信装置に送信させる第５の処理を前記第４の処理に先立って実行する。
【００１６】
また、請求項３記載の無線ＬＡＮ通信装置は、請求項１または２記載の無線ＬＡＮ通信装置において、前記親機側制御部は、前記第２の処理において選択された前記外部通信装置のすべてを対象とする前記第３の処理を完了したときに前記第２の条件が満たされたとして前記第４の処理を実行する。
【００１７】
また、請求項４記載の無線ＬＡＮ通信装置は、請求項１から３のいずれかに記載の無線ＬＡＮ通信装置において、前記親機側制御部は、前記第２の処理において、前記ビーコンが受信された前記外部通信装置のうちの予め規定されたリストアップ条件を満たす当該外部通信装置のリストを生成する。
【００１８】
また、請求項５記載の無線ＬＡＮ通信装置は、無線ＬＡＮ親機として動作している外部通信装置との間で無線通信を行う子機側通信部と、前記外部通信装置に対して接続するための接続許容条件を記憶する子機側記憶部と、前記子機側通信部を制御する子機側制御部とを備えて無線ＬＡＮ子機として動作可能に構成された無線ＬＡＮ通信装置であって、
前記子機側通信部は、無線ＬＡＮ子機として動作する動作モードＡおよび無線ＬＡＮ親機として動作する動作モードＢのいずれかに切り替えられて動作可能に構成され、前記子機側制御部は、予め規定された条件Ａが満たされたときに、無線ＬＡＮ親機として動作する第１の動作モードおよび無線ＬＡＮ子機として動作する第２の動作モードのいずれかに切り替えられて動作可能に構成された親機側通信部を備えた前記外部通信装置に対して前記子機側通信部が接続するのを許容させる子機側接続許容処理を実行すると共に、当該子機側接続許容処理において、前記子機側通信部を前記動作モードＢで動作させてビーコンを発信させる処理Ａと、前記親機側通信部が前記第２の動作モードで動作している前記外部通信装置から送信された前記接続許容条件が前記子機側通信部によって受信されたときに当該接続許容条件を前記子機側記憶部に記憶させる処理Ｂとを実行し、かつ予め規定された条件Ｂが満たされたときに前記子機側通信部を前記動作モードＡで動作させる処理Ｃを実行する。
【００１９】
また、請求項６記載の無線ＬＡＮ通信装置は、請求項４記載の無線ＬＡＮ通信装置において、前記子機側制御部は、前記子機側通信部を前記動作モードＡで動作させるように指示する制御データが前記子機側通信部によって受信されたときに前記条件Ｂが満たされたとして前記処理Ｃを実行する。
【００２０】
また、請求項７記載の無線ＬＡＮ通信システムは、請求項１から４のいずれかに記載の無線ＬＡＮ通信装置と、請求項５または６記載の無線ＬＡＮ通信装置とを備えて構成されている。
【００２１】
また、請求項８記載の接続許容処理用プログラムは、無線ＬＡＮ親機として動作している外部通信装置との間で無線通信を行う子機側通信部と、前記外部通信装置に対して接続するための接続許容条件を記憶する子機側記憶部と、前記子機側通信部を制御する子機側制御部とを備えて無線ＬＡＮ子機として動作可能に構成されると共に、前記子機側通信部が、無線ＬＡＮ子機として動作する動作モードＡおよび無線ＬＡＮ親機として動作する動作モードＢのいずれかに切り替えられて動作可能に構成された無線ＬＡＮ通信装置における前記子機側制御部に、前記外部通信装置に対する前記子機側通信部の接続を許容させる子機側接続許容処理を実行させる接続許容処理用プログラムであって、予め規定された条件Ａが満たされたときに前記子機側接続許容処理を実行すると共に、当該子機側接続許容処理において、前記子機側通信部を前記動作モードＢで動作させてビーコンを発信させる処理Ａと、前記親機側通信部が前記第２の動作モードで動作している前記外部通信装置から送信された前記接続許容条件が前記子機側通信部によって受信されたときに当該接続許容条件を前記子機側記憶部に記憶させる処理Ｂとを実行し、かつ予め規定された条件Ｂが満たされたときに前記子機側通信部を前記動作モードＡで動作させる処理Ｃとを前記子機側制御部に実行させる。
【発明の効果】
【００２２】
請求項１記載の無線ＬＡＮ通信装置では、親機側制御部が、第１の条件が満たされたときに、外部通信装置が親機側通信部に対して接続するのを許容する親機側接続許容処理を実行すると共に、親機側接続許容処理において、親機側通信部を第２の動作モードで動作させると共に子機側通信部が動作モードＢで動作している外部通信装置から発信されたビーコンを親機側通信部に受信させる第１の処理と、親機側通信部によってビーコンが受信された外部通信装置のリストを生成すると共にリスト内の外部通信装置のなかから親機側通信部に対する接続を許容する外部通信装置を選択させる第２の処理と、選択された外部通信装置に対して親機側記憶部に記憶されている接続許容条件を親機側通信部から送信させる第３の処理とを実行し、かつ第２の条件が満たされたときに親機側通信部を第１の動作モードで動作させる第４の処理を実行する。
【００２３】
また、請求項５記載の無線ＬＡＮ通信装置では、子機側制御部は、条件Ａが満たされたときに、外部通信装置に対して子機側通信部が接続するのを許容させる子機側接続許容処理を実行すると共に、子機側接続許容処理において、子機側通信部を動作モードＢで動作させてビーコンを発信させる処理Ａと、親機側通信部が第２の動作モードで動作している外部通信装置から送信された接続許容条件が子機側通信部によって受信されたときに接続許容条件を子機側記憶部に記憶させる処理Ｂとを実行し、かつ条件Ｂが満たされたときに子機側通信部を動作モードＡで動作させる処理Ｃを実行する。
【００２４】
また、請求項７記載の無線ＬＡＮ通信システムでは、上記の無線ＬＡＮ通信装置を備えて構成されている。また、請求項８記載の接続許容処理用プログラムでは、子機側制御部に対して上記のような各処理を実行させる。
【００２５】
したがって、請求項１記載の無線ＬＡＮ通信装置、請求項５記載の無線ＬＡＮ通信装置、請求項７記載の無線ＬＡＮ通信システム、および請求項８記載の接続許容処理用プログラムによれば、無線ＬＡＮ親機として動作させる１台の無線ＬＡＮ通信装置（無線ＬＡＮ子機として動作させる無線ＬＡＮ通信装置にとっての外部通信装置）に対して、無線ＬＡＮ子機として動作させる無線ＬＡＮ通信装置（無線ＬＡＮ親機として動作させる無線ＬＡＮ通信装置にとっての外部通信装置）を複数台接続させるときに、無線ＬＡＮ親機として動作させる無線ＬＡＮ通信装置に対する接続を許容させる設定処理を無線ＬＡＮ子機として動作させる各無線ＬＡＮ通信装置毎に個別的に行わなくても、親機側接続許容処理において、無線ＬＡＮ親機として動作させる無線ＬＡＮ通信装置において生成されるリストの中からその無線ＬＡＮ通信装置に対する接続を許容する装置（無線ＬＡＮ子機として動作させる無線ＬＡＮ通信装置）を選択するだけで、それらの装置を無線ＬＡＮ親機として動作させる無線ＬＡＮ通信装置に対する接続が許容された状態とすることができるため、無線ＬＡＮ通信に関する設定作業を短時間で容易に完了させることができる。
【００２６】
また、請求項２記載の無線ＬＡＮ通信装置では、親機側制御部が、第３の処理の処理を完了したときに、子機側通信部を動作モードＡで動作させるように指示する制御データを親機側通信部から外部通信装置に送信させる第５の処理を第４の処理に先立って実行する。また、請求項６記載の無線ＬＡＮ通信装置では、子機側制御部が、子機側通信部を動作モードＡで動作させるように指示する制御データが子機側通信部によって受信されたときに条件Ｂが満たされたとして処理Ｃを実行する。
【００２７】
したがって、請求項２記載の無線ＬＡＮ通信装置、請求項６記載の無線ＬＡＮ通信装置、それらの無線ＬＡＮ通信装置を備えた無線ＬＡＮ通信システム、およびそのような処理を子機側制御部に実行させる接続許容処理用プログラムによれば、子機側接続許容処理によって動作モードＢで動作した状態となる無線ＬＡＮ通信装置を手動で動作モードＡに切り替える必要がないため、無線ＬＡＮ通信に関する設定作業を一層短時間で一層容易に完了させることができる。また、動作モードＡに切り替えるのを忘れ、第１の動作モードで動作した状態の無線ＬＡＮ通信装置に接続できない状態となるのを好適に回避することができる。
【００２８】
また、請求項３記載の無線ＬＡＮ通信装置、およびそのような無線ＬＡＮ通信装置を備えた無線ＬＡＮ通信システムによれば、親機側制御部が、第２の処理において選択された外部通信装置のすべてを対象とする第３の処理を完了したときに第２の条件が満たされたとして第４の処理を実行することにより、親機側接続許容処理によって第２の動作モードで動作した状態となる無線ＬＡＮ通信装置を手動で第１の動作モードに切り替える必要がないため、無線ＬＡＮ通信に関する設定作業を一層短時間で一層容易に完了させることができる。また、第１の動作モードに切り替えるのを忘れ、動作モードＡで動作した状態の無線ＬＡＮ通信装置が無線ＬＡＮ親機として動作させる無線ＬＡＮ通信装置に接続できない状態となるのを好適に回避することができる。
【００２９】
また、請求項４記載の無線ＬＡＮ通信装置、およびそのような無線ＬＡＮ通信装置を備えた無線ＬＡＮ通信システムによれば、親機側制御部が、第２の処理において、ビーコンが受信された外部通信装置のうちの予め規定されたリストアップ条件を満たす外部通信装置のリストを生成することにより、第１の処理に際して無線ＬＡＮ通信システムを構成する装置ではない外部通信装置からのビーコンが受信されたとしても、第２の処理に際して、そのような装置がリストアップされないため、接続を許容する外部通信装置の選択を容易に行わせることができる。
【図面の簡単な説明】
【００３０】
【図１】測定システム１００の構成を示す構成図である。
【図２】無線ＬＡＮアクセスポイント１の構成を示す構成図である。
【図３】測定装置２ａ，２ｂ・・２ｎの構成を示す構成図である。
【図４】携帯端末３の構成を示す構成図である。
【発明を実施するための形態】
【００３１】
以下、無線ＬＡＮ通信装置、無線ＬＡＮ通信システムおよび接続許容処理用プログラムの実施の形態について、添付図面を参照して説明する。
【００３２】
図１に示す測定システム１００は、「無線ＬＡＮ通信システム」の一例であって、無線ＬＡＮアクセスポイント１、測定装置２ａ，２ｂ・・２ｎおよび携帯端末３を備え、各測定装置２ａ，２ｂ・・２ｎを使用した任意の被測定量の測定、および携帯端末３などを使用した測定結果の収集・確認などを行うことができるように構成されている。
【００３３】
無線ＬＡＮアクセスポイント１（以下、単に「アクセスポイント１」ともいう）は、常態（通常使用状態）において「無線ＬＡＮ親機」として動作させる「無線ＬＡＮ通信装置」の一例であって、図２に示すように、通信部１１，１２、操作部１３、表示部１４、処理部１５および記憶部１６を備えて構成されている。
【００３４】
通信部１１は、ルーターＲ（図１参照）を介してインターネット等の外部ネットワークに接続可能に構成されている。なお、本例のアクセスポイント１は、外部装置としてのルーターＲを介して外部ネットワークに接続する構成が採用されているが、このルーターＲの機能を内蔵して「無線ＬＡＮアクセスポイント（常態において無線ＬＡＮ親機として動作させる無線ＬＡＮ通信装置）」を構成することもできる。
【００３５】
通信部１２は、「親機側通信部」の一例であって、測定装置２ａ，２ｂ・・２ｎや携帯端末３などの「無線ＬＡＮ子機として動作している外部通信装置」との間で無線通信を行うことが可能な無線ＬＡＮ通信モジュールで構成されている。この通信部１２は、後述するように、処理部１５によって、「無線ＬＡＮ親機」として動作する「第１の動作モード」、および「無線ＬＡＮ子機」として動作する「第２の動作モード」のいずれかに切り替えられて動作可能に構成されている。
【００３６】
操作部１３は、アクセスポイント１の動作条件を設定するための操作スイッチ（図示せず）や、表示部１４の正面に配設されたタッチパネルを備え、これらの操作に応じた操作信号を処理部１５に出力する。表示部１４は、処理部１５の制御に従い、アクセスポイント１の動作条件を設定するための画面や、アクセスポイント１の動作状態を示すための画面など（いずれも図示せず）を表示する。
【００３７】
処理部１５は、「親機側制御部」の一例であって、プログラムデータＤｐ１に従い、アクセスポイント１を総括的に制御する。具体的には、処理部１５は、常態において通信部１１や通信部１２の動作を制御すると共に、外部通信装置が通信部１２に対して接続するのを許容する「親機側接続許容処理」を実行する。なお、「親機側接続許容処理」については、後に詳細に説明する。記憶部１６は、「親機側記憶部」の一例であって、上記のプログラムデータＤｐ１や、通信部１２に対する接続を許容する「接続許容条件」が記録された接続許容条件データＤ０などを記憶する。
【００３８】
また、測定装置２ａ，２ｂ・・２ｎ（以下、区別しないときには「測定装置２」ともいう）は、常態において「無線ＬＡＮ子機」として動作させる「無線ＬＡＮ通信装置」の一例であって、図３に示すように、測定部２１、通信部２２、操作部２３、表示部２４、処理部２５および記憶部２６を備えて構成されている。測定部２１は、処理部２５の制御に従い、図示しない測定対象についての予め規定された被測定量を測定し、測定結果を示す測定値データＤｍを処理部１５に出力する。
【００３９】
通信部２２は、「子機側通信部」の一例であって、「無線ＬＡＮ親機として動作している外部通信装置」との間で無線通信を行うことが可能な無線ＬＡＮ通信モジュールで構成されている。この通信部２２は、後述するように、処理部２５によって、「無線ＬＡＮ子機」として動作する「動作モードＡ」、および「無線ＬＡＮ親機」として動作する「動作モードＢ」のいずれかに切り替えられて動作可能に構成されている。なお、本例では、「動作モードＢ」で動作している通信部２２に対してパスワードの提示を行うことなく接続できるように規定されているものとする。
【００４０】
操作部２３は、測定装置２の動作条件（測定条件および測定値データＤｍの送信条件等）を設定するための操作スイッチ（図示せず）や、表示部２４の正面に配設されたタッチパネルを備え、これらの操作に応じた操作信号を処理部２５に出力する。表示部２４は、処理部２５の制御に従い、測定装置２の動作条件を設定するための画面や、測定装置２の動作状態および測定部２１による測定結果を示すための画面など（いずれも図示せず）を表示する。
【００４１】
処理部２５は、「子機側制御部」の一例であって、プログラムデータＤｐ２に従い、測定装置２を総括的に制御する。具体的には、処理部２５は、測定部２１を制御して測定処理を実行させると共に、通信部２２の動作を制御する。また、処理部２５は、外部通信装置に対して通信部２２が接続するのを許容させる「子機側接続許容処理」を実行する。なお、「子機側接続許容処理」については、後に詳細に説明する。
【００４２】
記憶部２６は、「子機側記憶部」の一例であって、上記のプログラムデータＤｐ２や、測定部２１から出力される測定値データＤｍ、およびアクセスポイント１から提供される接続許容条件データＤ０などを記憶する。なお、この測定装置２では、プログラムデータＤｐ２が「接続許容処理用プログラム」に相当し、一例として、測定装置２の製造時にこのプログラムデータＤｐ２が測定装置２にインストールされた状態で提供される。
【００４３】
さらに、携帯端末３は、常態において「無線ＬＡＮ子機」として動作させる「無線ＬＡＮ通信装置」の他の一例であって、本例の測定システム１００では、一例として、プログラムデータＤｐ３がインストールされたタブレット端末、スマートフォンおよびパーソナルコンピュータなどの通信端末で構成されている。なお、本例では、一例として、各種のプログラムをインストール可能なタブレット端末で携帯端末３が構成されているものとする。この携帯端末３は、図４に示すように、通信部３１，３２、操作部３３、表示部３４、処理部３５および記憶部３６を備えて構成されている。
【００４４】
通信部３１は、図１に示すように、移動体通信網（携帯電話通信網等）に接続可能な通信モジュールで構成され、移動体通信網を介してインターネット等に接続することができるように構成されている。通信部３２は、「子機側通信部」の他の一例であって、測定装置２の通信部２２と同様にして、「無線ＬＡＮ親機として動作している外部通信装置」との間で無線通信を行うことが可能な無線ＬＡＮ通信モジュールで構成されている。この通信部３２は、後述するように、処理部３５によって、「無線ＬＡＮ子機」として動作する「動作モードＡ」、および「無線ＬＡＮ親機」として動作する「動作モードＢ」のいずれかに切り替えられて動作可能に構成されている。
【００４５】
操作部３３は、電源スイッチなどの物理的な操作スイッチに加えて、表示部３４の正面に配設されたタッチパネルを備え、これらの操作に応じた操作信号を処理部３５に出力する。表示部３４は、処理部３５の制御に従い、携帯端末３の動作条件を設定するための画面や、測定装置２によって測定された測定値を表示するための画面など（いずれも図示せず）を表示する。
【００４６】
処理部３５は、「子機側制御部」の他の一例であって、携帯端末３をタブレット端末として機能させるためのシステムプログラムやプログラムデータＤｐ３に従い、携帯端末３を総括的に制御する。具体的には、処理部３５は、常態において通信部３１，３２の動作を制御すると共に、外部通信装置に対して通信部３２が接続するのを許容させる「子機側接続許容処理」を実行する。なお、「子機側接続許容処理」については、後に詳細に説明する。
【００４７】
記憶部３６は、「子機側記憶部」の他の一例であって、上記のプログラムデータＤｐ３や、各測定装置２から送信される測定値データＤｍ、およびアクセスポイント１から提供される接続許容条件データＤ０などを記憶する。なお、本例では、プログラムデータＤｐ３が「接続許容処理用プログラム」に相当し、一例として、携帯端末３等の端末によってダウンロード可能にインターネット上の任意のＷｅｂサイトにアップロードされた状態で提供される。
【００４８】
次に、測定システム１００の使用方法に関し、主として、アクセスポイント１、測定装置２および携帯端末３を測定現場に設置する際の処理について説明する。
【００４９】
なお、携帯端末３へのプログラムデータＤｐ３のインストール作業は既に完了しているものとする。また、以下に説明する例においては、一例として、アクセスポイント１および測定装置２ｂ〜２ｎが未使用品で、かつ測定装置２ａが使用済品であるものとする。この場合、上記の「未使用品」とは、以下に説明する各処理による「無線ＬＡＮ通信に関する設定」を行ったことがない状態であり、「使用済品」とは、以下に説明する各処理による「無線ＬＡＮ通信に関する設定」を行ったことがある状態を意味する。さらに、アクセスポイント１および各測定装置２は、相互に無線ＬＡＮ通信が可能な範囲内に存在しているものとする。
【００５０】
まず、使用済品である測定装置２ａの操作部２３については、「通信設定リセットスイッチ（以下、単に「リセットスイッチ」ともいう）」を操作することにより、以下に説明するような処理と同様に過去に実行された処理によって登録された接続許容条件データＤ０を消去する（他のアクセスポイント１などに対して接続可能な状態をリセットして未使用品と同様の状態とする）か、既に登録されている接続許容条件データＤ０に加えて新たに接続を希望するアクセスポイント１についての接続許容条件データＤ０を追加可能な状態とする。次いで、「リセットスイッチ」の操作が完了した測定装置２ａ、および未使用品の測定装置２ｂ〜２ｎにおける操作部２３を順次操作することにより、無線ＬＡＮ通信関連の設定画面（図示せず）を表示部２４にそれぞれ表示させた状態とする。
【００５１】
この場合、リセットスイッチを操作した測定装置２ａ、および未使用品の測定装置２ｂ〜２ｎでは、上記のように設定画面を表示部２４に表示させたときに、処理部２５が、「予め規定された条件Ａ」が満たされたと判別して「子機側接続許容処理」を開始する。具体的には、処理部２５は、プログラムデータＤｐ２に従い、まず、通信部２２を制御して「動作モードＢ」で動作するように切り替える。これに応じて、各通信部２２は、「無線ＬＡＮ親機」として動作し、一例として、各測定装置２毎に異なるＳＳＩＤを含むビーコンを繰り返し発信する（「処理Ａ」の一例）。また、処理部２５は、後述するようにアクセスポイント１から送信される接続許容条件データＤ０が通信部２２によって受信されたか否かの監視を開始する。
【００５２】
また、各測定装置２と共に携帯端末３を使用する本例では、携帯端末３の操作部３３を操作してプログラムデータＤｐ３を起動させて無線ＬＡＮ通信関連の設定画面（図示せず）を表示部３４に表示させる。次いで、設定画面内の「自動接続設定」との疑似スイッチを操作する。この際には、処理部３５が、「予め規定された条件Ａ」が満たされたと判別して「子機側接続許容処理」を開始する。具体的には、処理部３５は、プログラムデータＤｐ３に従い、まず、通信部３２を制御して「動作モードＢ」で動作するように切り替える。これに応じて、通信部３２は、「無線ＬＡＮ親機」として動作し、一例として、予め規定されたＳＳＩＤを含むビーコンを繰り返し発信する（「処理Ａ」の他の一例）。また、処理部３５は、後述するようにアクセスポイント１から送信される接続許容条件データＤ０が通信部３２によって受信されたか否かの監視を開始する。
【００５３】
この場合、本例の測定システム１００では、「動作モードＢ」で動作している各測定装置２や携帯端末３から発信されるビーコン内のＳＳＩＤが、一例として、「○○○○○−□□□□□」との文字列で構成されている。また、ＳＳＩＤにおける「○○○○○」としては、一例として、アクセスポイント１や測定装置２の製造メーカ名を示す文字列が採用され、「□□□□□」としては、測定装置２や携帯端末３毎に付与されたユニークな文字列（例えば、通信部２２，３２のＭＡＣアドレスを示す文字列）を所定のアルゴリズムに従って改変した文字列が採用されている。
【００５４】
一方、アクセスポイント１に対して接続させたい各測定装置２や携帯端末３（通信部２２，３２）がそれぞれ「動作モードＢ」で動作している状態（ビーコンを発信している状態）になったときには、アクセスポイント１の電源を投入する。この場合、本例のアクセスポイント１では、未使用状態において電源が投入されたときに、処理部１５が、「予め規定された第１の条件」が満たされたと判別して、「親機側接続許容処理」を開始する構成が採用されている。なお、本例とは相違するが、使用済品のアクセスポイント１に対して各測定装置２や携帯端末３を接続させたい場合には、操作部１３における「通信設定リセットスイッチ（以下、単に「リセットスイッチ」ともいう）」を操作する。この際には、処理部１５が、「予め規定された第１の条件」が満たされたと判別して、「親機側接続許容処理」を開始する。
【００５５】
この「親機側接続許容処理」では、処理部１５は、プログラムデータＤｐ１に従い、まず、通信部１２を制御して「第２の動作モード」で動作するように切り替えると共に、上記のように「動作モードＢ」で動作している各測定装置２や携帯端末３から発信されているビーコンを通信部１２に受信させる（「第１の処理」の一例）。次いで、処理部１５は、通信部１２によってビーコンが受信された「外部通信装置（この例では、各測定装置２および携帯端末３）」のリスト（一例として、受信されたビーコンに含まれているＳＳＩＤのリスト）を生成する。
【００５６】
続いて、処理部１５は、生成したリスト（ＳＳＩＤのリスト）と共に、一例として「接続許可する機器を選択して下さい。」とのメッセージを表示部１４に表示させることで、リスト内の「外部通信装置」のなかから通信部１２（アクセスポイント１）に対する接続を許容する「外部通信装置」を選択させる。なお、本例では、上記のリストの作成、作成したリスト（接続を許容する装置を選択させる画面）の表示部１４への表示が「第２の処理」に相当する。
【００５７】
この場合、「動作モードＢ」で動作している上記の各測定装置２や携帯端末３以外にも、アクセスポイント１以外の無線ＬＡＮアクセスポイント（「無線ＬＡＮ親機として動作している無線ＬＡＮ通信端末」）が測定システム１００の近傍に存在していることがある。このようなときには、その無線ＬＡＮアクセスポイントから発信されているビーコンが各測定装置２や携帯端末３から発信されているビーコンと共に通信部１２によって受信されて、各測定装置２や携帯端末３のＳＳＩＤと共に他の無線ＬＡＮアクセスポイントのＳＳＩＤがリストアップされて表示部１４に表示される。
【００５８】
したがって、表示部１４に表示されたＳＳＩＤのリストのなかから、各測定装置２や携帯端末３のＳＳＩＤ、すなわち「○○○○○」との文字列を含んでいるＳＳＩＤだけを選択することにより、測定システム１００を構成する上記の各測定装置２および携帯端末３に対応するＳＳＩＤだけを選択する。また、アクセスポイント１への接続を許容すべき測定装置２や携帯端末３の選択（対応するＳＳＩＤの選択）を完了したときには、画面内の「選択完了」とのボタン（図示せず）を操作する。
【００５９】
これに応じて，処理部１５は、通信部１２を制御して、利用者によって選択された「外部通信装置」（本例では、各測定装置２および携帯端末３）のＳＳＩＤに順次接続させると共に、接続を完了する都度、記憶部１６に記憶されている接続許容条件データＤ０を通信部１２から送信させる（「第３の処理」の一例）。この場合、接続許容条件データＤ０は、アクセスポイント１が「第１の動作モード」で動作しているとき、すなわち、アクセスポイント１が「無線ＬＡＮ親機」として動作しているときに通信部１２に接続するためのＳＳＩＤおよびパスワードが記録されたデータであって、一例として、ＳＳＩＤおよびパスワードを示す文字列の直接的な読み出しを困難とするために、暗号化処理が施されている。
【００６０】
また、処理部１５は、上記の接続許容条件データＤ０の送信に続き、（「第３の処理の処理を完了したとき」の一例）、通信部２２，３２を「動作モードＡ」で動作させるように指示する制御データＤ１を通信部１２から測定装置２または携帯端末３に送信させる（「第５の処理」の一例）
【００６１】
一方、前述したように、「処理Ａ」を完了し、処理部２５が通信部２２によって接続許容条件データＤ０が受信されたか否かの監視を開始している状態の測定装置２では、アクセスポイント１（「親機側通信部が第２の動作モードで動作している外部通信装置」の一例）から送信された接続許容条件データＤ０が通信部２２によって受信されたときに、その接続許容条件データＤ０を復号化して記憶部２６に記憶させる（「処理Ｂ」の一例）。また、処理部２５は、接続許容条件データＤ０に続いてアクセスポイント１から送信された制御データＤ１が通信部２２によって受信されたときに（「予め規定された条件Ｂが満たされたとき」の一例）、通信部２２を「動作モードＡ」で動作させ（「処理Ｃ」の一例）、「子機側接続許容処理」を終了する。
【００６２】
これにより、後述するようにアクセスポイント１が「第１の動作モード」で動作する状態となったときに、「無線ＬＡＮ子機」として動作している測定装置２が記憶部２６に記憶された接続許容条件データＤ０に基づいてアクセスポイント１の通信部１２に接続することができる状態となる。
【００６３】
また、前述したように、「処理Ａ」を完了し、処理部３５が通信部３２によって接続許容条件データＤ０が受信されたか否かの監視を開始している状態の携帯端末３では、アクセスポイント１から送信された接続許容条件データＤ０が通信部３２によって受信されたときに、その接続許容条件データＤ０を復号化して記憶部３６に記憶させる（「処理Ｂ」の他の一例）。また、処理部３５は、接続許容条件データＤ０に続いてアクセスポイント１から送信された制御データＤ１が通信部３２によって受信されたときに（「予め規定された条件Ｂが満たされたとき」の他の一例）、通信部３２を「動作モードＡ」で動作させ（「処理Ｃ」の他の一例）、「子機側接続許容処理」を終了する。
【００６４】
これにより、後述するようにアクセスポイント１が「第１の動作モード」で動作する状態となったときに、「無線ＬＡＮ子機」として動作している携帯端末３が記憶部３６に記憶された接続許容条件データＤ０に基づいてアクセスポイント１の通信部１２に接続することができる状態となる。
【００６５】
一方、アクセスポイント１では、前述したように表示部１４に表示させたリストのなかから選択された「外部通信装置」のすべて（本例では、測定装置２ａ，２ｂ・・２ｎおよび携帯端末３）に対する接続、接続許容条件データＤ０の送信、および制御データＤ１の送信を完了したときに（「予め規定された第２の条件が満たされたとき」の一例）、通信部１２を「第１の動作モード」で動作させて（「第４の処理」の一例）、「親機側接続許容処理」を終了する。これにより、上記のように「子機側接続処理」を完了した各測定装置２の通信部２２や携帯端末３の通信部３２がアクセスポイント１の通信部１２に対して順次接続をし、アクセスポイント１を介して各測定装置２と携帯端末３とが相互に通信を行うことができる状態となる。これにより、測定現場における「無線ＬＡＮ接続」に関する一連の設定作業が完了する。
【００６６】
この後、一例として、各測定装置２において実行される測定処理の結果を示す測定値データＤｍが各測定装置２からアクセスポイント１を介して携帯端末３に送信され、携帯端末３において測定値データＤｍに基づく測定結果を表示部３４に表示させて確認することが可能となる。また、携帯端末３に送信された各測定値データＤｍについては、インターネット上のデータサーバなどに対して、通信部３１から、移動体通信網およびインターネットを介してアップロードしたり、通信部３２から、アクセスポイント１、ルーターＲおよびインターネットを介してアップロードしたりすることができる。これにより、データサーバに蓄積された測定値データＤｍを、インターネットに接続された各種の情報端末によってダウンロードして閲覧することが可能となる。
【００６７】
このように、このアクセスポイント１では、処理部１５が、「第１の条件」が満たされたときに、測定装置２や携帯端末３が通信部１２に対して接続するのを許容する「親機側接続許容処理」を実行すると共に、「親機側接続許容処理」において、通信部１２を「第２の動作モード」で動作させると共に通信部２２，３２が「動作モードＢ」で動作している測定装置２や携帯端末３から発信されたビーコンを通信部１２に受信させる「第１の処理」と、通信部１２によってビーコンが受信された測定装置２や携帯端末３などのリストを生成すると共にリスト内の測定装置２や携帯端末３などのなかから通信部１２に対する接続を許容する測定装置２や携帯端末３を選択させる「第２の処理」と、選択された測定装置２や携帯端末３に対して記憶部１６に記憶されている接続許容条件データＤ０を通信部１２から送信させる「第３の処理」とを実行し、かつ「第２の条件」が満たされたときに通信部１２を「第１の動作モード」で動作させる「第４の処理」を実行する。
【００６８】
また、この測定装置２および携帯端末３では、処理部２５，３５は、「条件Ａ」が満たされたときに、アクセスポイント１に対して通信部２２，３２が接続するのを許容させる「子機側接続許容処理」を実行すると共に、「子機側接続許容処理」において、通信部２２，３２を「動作モードＢ」で動作させてビーコンを発信させる「処理Ａ」と、通信部１２が「第２の動作モード」で動作しているアクセスポイント１から送信された接続許容条件データＤ０が通信部２２，３２によって受信されたときに、その接続許容条件データＤ０を記憶部２６，３６に記憶させる「処理Ｂ」とを実行し、かつ「条件Ｂ」が満たされたときに通信部２２，３２を「動作モードＡ」で動作させる「処理Ｃ」を実行する。
【００６９】
また、この測定システム１００では、上記のアクセスポイント１、測定装置２および携帯端末３を備えて構成されている。また、このプログラムデータＤｐ２，Ｄｐ３では、処理部２５，３５に対して上記のような各処理を実行させる。
【００７０】
したがって、この測定システム１００（アクセスポイント１、測定装置２および携帯端末３）  およびプログラムデータＤｐ２，Ｄｐ３によれば、「無線ＬＡＮ親機」として動作させる１台のアクセスポイント１に対して、「無線ＬＡＮ子機」として動作させる測定装置２や携帯端末３を複数台接続させるときに、アクセスポイント１に対する接続を許容させる設定処理を各測定装置２や携帯端末３毎に個別的に行わなくても、「親機側接続許容処理」においてアクセスポイント１において生成されるリストの中からアクセスポイント１に対する接続を許容する装置（測定装置２や携帯端末３）を選択するだけで、それらの装置をアクセスポイント１に対する接続が許容された状態とすることができるため、無線ＬＡＮ通信に関する設定作業を短時間で容易に完了させることができる。
【００７１】
また、このアクセスポイント１では、処理部１５が、「第３の処理」の処理を完了したときに、通信部２２，３２を「動作モードＡ」で動作させるように指示する制御データＤ１を通信部１２から測定装置２や携帯端末３に送信させる「第５の処理」を「第４の処理」に先立って実行する。また、この測定装置２および携帯端末３では、処理部２５，３５が、通信部２２，３２を「動作モードＡ」で動作させるように指示する制御データＤ１が通信部２２，３２によって受信されたときに「条件Ｂ」が満たされたとして「処理Ｃ」を実行する。
【００７２】
したがって、この測定システム１００（測定装置２および携帯端末３）およびプログラムデータＤｐ２，Ｄｐ３によれば、「子機側接続許容処理」によって「動作モードＢ」で動作した状態となる測定装置２や携帯端末３を手動で「動作モードＡ」に切り替える必要がないため、無線ＬＡＮ通信に関する設定作業を一層短時間で一層容易に完了させることができる。また、「動作モードＡ」に切り替えるのを忘れ、「第１の動作モード」で動作した状態のアクセスポイント１に接続できない状態となるのを好適に回避することができる。
【００７３】
また、このアクセスポイント１、およびそのようなアクセスポイント１を備えた測定システム１００によれば、処理部１５が、「第２の処理」において選択された測定装置２や携帯端末３のすべてを対象とする「第３の処理」を完了したときに「第２の条件」が満たされたとして「第４の処理」を実行することにより、「親機側接続許容処理」によって「第２の動作モード」で動作した状態となるアクセスポイント１を手動で「第１の動作モード」に切り替える必要がないため、無線ＬＡＮ通信に関する設定作業を一層短時間で一層容易に完了させることができる。また、「第１の動作モード」に切り替えるのを忘れ、「動作モードＡ」で動作した状態の測定装置２や携帯端末３がアクセスポイント１に接続できない状態となるのを好適に回避することができる。
【００７４】
なお、「無線ＬＡＮ通信装置」および「無線ＬＡＮ通信システム」の構成や「接続許容処理用プログラム無線ＬＡＮ通信装置」の処理手順については、上記の例に限定されない。
【００７５】
例えば、「親機側接続許容処理」において、開始直後に通信部１２を「第２の動作モード」に切り替えてから「第２の条件」が満たされるまで「第２の動作モード」で動作させた状態を継続する構成のアクセスポイント１を例に挙げて説明したが、このような構成に代えて、「親機側接続許容処理」において、開始直後から「第２の条件」が満たされるまで、「第１の動作モード」および「第２の動作モード」に交互に切り替え、「第２の動作モード」で動作しているときに、ビーコンの受信や接続許容条件データＤ０および制御データＤ１の送信を行う構成を採用することもできる。
【００７６】
このような構成を採用することにより、アクセスポイント１（通信部１２）が「第２の動作モード」で動作しているときには、上記の例と同様に新たな測定装置２や携帯端末３の接続を許容する処理を行い、アクセスポイント１（通信部１２）が「第１の動作モード」で動作しているときには、既に接続を許容している「外部通信装置（無線ＬＡＮ子機として動作している通信装置）」をアクセスポイント１に接続させて通常の無線ＬＡＮ通信を行わせることが可能となる。
【００７７】
また、「子機側接続許容処理」において、開始直後に通信部２２，３２を「動作モードＢ」に切り替えてから「条件Ｂ」が満たされるまで「動作モードＢ」で動作させた状態を継続する構成の測定装置２や携帯端末３（プログラムデータＤｐ２，Ｄｐ３）を例に挙げて説明したが、このような構成に代えて、「子機側接続許容処理」において、開始直後から「条件Ｂ」が満たされるまで、「動作モードＡ」および「動作モードＢ」に交互に切り替え、「動作モードＢ」で動作しているときに、ビーコンの送信や接続許容条件データＤ０および制御データＤ１の受信を行う構成を採用することもできる。
【００７８】
なお、「親機側接続許容処理」においてアクセスポイント１（通信部１２）を「第１の動作モード」および「第２の動作モード」に交互に切り替える構成を採用したときに、測定装置２や携帯端末３については、「子機側接続許容処理」において通信部２２，３２を「動作モードＡ」および「動作モードＢ」に交互に切り替える構成と、「子機側接続許容処理」において通信部２２，３２を「動作モードＢ」で動作させ続ける構成とのいずれを採用したとしても、アクセスポイント１に対する測定装置２や携帯端末３の接続を許容することができる。
【００７９】
同様にして、「子機側接続許容処理」において測定装置２や携帯端末３（通信部２２，３２）を「動作モードＡ」および「動作モードＢ」に交互に切り替える構成を採用したときに、アクセスポイント１については、「親機側接続許容処理」において通信部１２を「第１の動作モード」および「第２の動作モード」に交互に切り替える構成と、「親機側接続許容処理」において通信部１２を「第２の動作モード」で動作させ続ける構成とのいずれを採用したとしても、アクセスポイント１に対する測定装置２や携帯端末３の接続を許容することができる。
【００８０】
この場合、「親機側接続許容処理」においてアクセスポイント１（通信部１２）を「第１の動作モード」および「第２の動作モード」に交互に切り替える構成を採用し、かつ「子機側接続許容処理」において測定装置２や携帯端末３（通信部２２，３２）を「動作モードＡ」および「動作モードＢ」に交互に切り替える構成を採用したときには、切り替えのタイミングについて、次のように規定するのが好ましい。
【００８１】
例えば、アクセスポイント１と測定装置２や携帯端末３とで、切替え周期の１周期当りの長さを一致させる場合には、一例として、「［第１の動作モードの時間］＜［第２の動作モードの時間］」との条件（一例として、「［第１の動作モードの時間］：［第２の動作モードの時間］＝［３］：［７］」との条件）と、「［動作モードＡの時間］＜［動作モードＢの時間］」との条件（一例として、「［動作モードＡの時間］：［動作モードＢの時間］＝［３］：［７］」との条件）とを満たすように切り替えることにより、「第２の動作モード」に切り替わった状態のアクセスポイント１（通信部１２）と、「動作モードＢ」に切り替わった状態の測定装置２や携帯端末３（通信部２２，３２）との間で、ビーコン、接続許容条件データＤ０および制御データＤ１の送受信を確実に実行することができる。
【００８２】
また、アクセスポイント１における切替えの周期と、測定装置２や携帯端末３における切替えの周期とで１周期の長さを異ならせることにより、「［第１の動作モードの時間］＝［第２の動作モードの時間］」との条件、および「［動作モードＡの時間］＝［動作モードＢの時間］」との条件下で切り替えを行っても、「第２の動作モード」に切り替わった状態のアクセスポイント１（通信部１２）と、「動作モードＢ」に切り替わった状態の測定装置２や携帯端末３（通信部２２，３２）との間で、ビーコン、接続許容条件データＤ０および制御データＤ１の送受信を確実に実行することができる。
【００８３】
また、「親機側接続許容処理」を開始する「第１の条件」は、上記の例に限定されず、例えば、「第１の動作モード」で動作している状態において「動作モードＡ」で動作している測定装置２や携帯端末３から「親機側接続許容処理」の開始を要求する要求信号が発信されて通信部１２によって受信されたときに「第１の条件」が満たされたとして「親機側接続許容処理」を開始する構成を採用することができる。さらに、「親機側接続許容処理」において「第４の処理」を開始する「第２の条件」は、上記の例に限定されず、例えば、「親機側接続許容処理」の終了を指示する操作が行なわれたときに「第２の条件」が満たされたとして「第４の処理」を実行して「親機側接続許容処理」を終了させる構成を採用することもできる。
【００８４】
また、「子機側接続許容処理」を開始する「条件Ａ」は、上記の例に限定されず、例えば、「動作モードＡ」で動作している状態において「第１の動作モード」で動作しているアクセスポイント１から「子機側接続許容処理」の開始を要求する要求信号が発信されて通信部２２，３２によって受信されたときに「条件Ａ」が満たされたとして「子機側接続許容処理」を開始する構成を採用することができる。さらに、「子機側接続許容処理」において「処理Ｃ」を開始する「条件Ｂ」は、上記の例に限定されず、例えば、「子機側接続許容処理」の終了を指示する操作が行なわれたときに「条件Ｂ」が満たされたとして「処理Ｃ」を実行して「子機側接続許容処理」を終了させる構成を採用することもできる。
【００８５】
また、「親機側接続許容処理」における「第２の処理」において、「動作モードＢ」で動作している各測定装置２や携帯端末３以外の無線ＬＡＮアクセスポイント等からのビーコンが各測定装置２や携帯端末３から発信されているビーコンと共に通信部１２によって受信されたときに、各測定装置２や携帯端末３のＳＳＩＤと共に他の無線ＬＡＮアクセスポイントのＳＳＩＤをリストアップして表示部１４に表示させる構成および方法を例に挙げて説明したが、このような構成および方法に代えて、ビーコンが受信された外部通信装置のうちの「予め規定されたリストアップ条件」を満たす外部通信装置のリストを生成する処理を第２の処理において実行する構成および方法を採用することもできる。
【００８６】
具体的には、例えば、前述したアクセスポイント１による「第２の処理」に代えて、処理部１５が、「動作モードＢ」で動作している外部通信装置、（各測定装置２、携帯端末３および他の無線ＬＡＮアクセスポイント）から発信されているビーコンを通信部１２に受信させ、受信された各ビーコンのＳＳＩＤのうちから、「○○○○○○」との予め規定された文字列を含むＳＳＩＤ（「リストアップ条件」の一例）を抽出し、抽出したＳＳＩＤだけをリストアップしてリストを生成して表示部１４に表示させる処理を「第２の処理」として実行する。
【００８７】
このような構成および方法によれば、「第１の処理」に際して測定システム１００を構成する装置ではない無線ＬＡＮ通信装置からのビーコン（上記の例では、「○○○○○○」との文字列を含んでいないビーコン）が受信されたとしても、「第２の処理」に際して、そのような装置がリストアップされないため、接続を許容する測定装置２や携帯端末３の選択を容易に行わせることができる。
【００８８】
また、「親機側接続許容処理」において表示部１４に「リスト」を表示させ、かつ操作部１３の操作によって所望の「外部通信装置」を選択させる構成のアクセスポイント１を例に挙げて説明したが、「親機側接続許容処理」を実行する「無線ＬＡＮ通信装置」が「表示部」や「操作部」を備えているか否かを問わず、「親機側接続許容処理」の実行に際して、外部の「操作端末（例えば、パーソナルコンピュータ）」を「無線ＬＡＮ通信装置」に接続し、「操作端末」の「表示部」に「リスト」を表示させ、かつ「操作端末」の「操作部」の操作によって所望の「外部通信装置」を選択させる構成を採用することもできる。
【００８９】
加えて、「無線ＬＡＮ子機」として動作させる「無線ＬＡＮ通信装置」としての測定装置２を備えた「無線ＬＡＮ通信システム」としての測定システム１００の構成を例に挙げて説明したが、「無線ＬＡＮ通信装置」および「無線ＬＡＮ通信システム」の利用分野は測定分野に限定されず、スマートフォン、タブレット端末、パーソナルコンピュータ、ゲーム機、および各種家電製品を「無線ＬＡＮ子機」として動作させる「無線ＬＡＮ通信装置」としてアクセスポイント１のような「無線ＬＡＮ通信装置」に接続して各種のデータを送受信させることができる。
【符号の説明】
【００９０】
１００  測定システム１００
１  無線ＬＡＮアクセスポイント１
２ａ，２ｂ・・２ｎ  測定装置２ａ，２ｂ・・２ｎ
３  携帯端末３
１１，１２，２２，３１，３２  通信部
１３，２３，３３  操作部
１４，２４，３４  表示部
１５，２５，３５  処理部
１６，２６，３６  記憶部
２１  測定部
Ｄ０  接続許容条件データ
Ｄ１  制御データ
Ｄｍ  測定値データ
Ｄｐ１〜Ｄｐ３  プログラムデータ
Ｒ  ルーター
【図１】
2019022197.tif 000003
【図２】
2019022197.tif 000004
【図３】
2019022197.tif 000005
【図４】
2019022197.tif 000006